(57)【特許請求の範囲】
【請求項１】
圧縮されたデジタルオーデイオ信号を記録するプログラム記録領域と、上記圧縮されたデジタルオーデイオ信号を管理するための管理情報を記録する管理情報記録領域とを有する記録媒体の記録再生装置において、
上記記録媒体の管理情報記録領域から管理情報を再生するとともに上記記録媒体のプログラム記録領域より圧縮されたデジタルオーデイオ信号を再生する再生手段と、
入力されたデジタルオーデイオ信号に対して圧縮処理を施す圧縮信号処理手段と、
上記圧縮信号処理手段から出力される圧縮されたデジタルオーデイオ信号をプログラム記録領域に記録するとともに上記管理情報を管理情報記録領域に記録する記録手段と、
少なくとも上記圧縮信号処理手段への電源供給を遮断するスイッチ手段と、
上記圧縮信号処理手段から出力される圧縮されたデジタルオーデイオ信号をプログラム記録領域に記録する場合には上記スイッチ手段とオンし、記録／消去に応じて編集された管理情報を上記管理情報記録領域に記録する場合には、上記スイッチ手段をオフする制御手段を備えたことを特徴とする記録再生装置。
【請求項２】
入力されるアナログオーデイオ信号をデジタルオーデイオ信号に変換するＡ／Ｄ変換手段とを更に備え、上記スイッチ手段は上記Ａ／Ｄ変換手段への電源供給も遮断することを特徴とする請求項１記載の記録再生装置。
【請求項３】
上記再生手段によって上記記録媒体のプログラム記録領域より再生された圧縮されたデジタルオーデイオ信号を伸長する伸長手段と、
上記伸長手段にて伸長されたデジタルオーデイオ信号をアナログオーデイオ信号に変換するＤ／Ａ変換手段とを更に備え、上記スイッチ手段は上記Ｄ／Ａ変換手段への電源供給も遮断することを特徴とする請求項１記載の記録再生装置。
【請求項４】
上記Ｄ／Ａ変換手段にて変換されたアナログオーデイオ信号を増幅するオーデイオ用アンプを更に備え、上記スイッチ手段は上記オーデイオ用アンプへの電源供給も遮断することを特徴とする請求項３記載の記録再生装置。
【請求項５】
デジタルオーディオ信号が記録されるプログラム記録領域と上記プログラム記録領域に記録されているデジタルオーディオ信号を管理する管理情報が記録される管理領域とを備えてなる記録媒体に記録を行う記録装置は、上記管理領域に管理情報を記録するとともに上記プログラム記録領域にデジタルオーディオ信号を各々記録する記録手段と、
入力されたアナログオーディオ信号を処理する信号処理手段と、
上記信号処理手段への電源供給を遮断するスイッチ手段と、
上記記録手段にて上記管理領域に管理情報を記録中には上記信号処理手段への電源供給を遮断するように上記スイッチ手段をオフ制御するとともに、上記記録手段にて上記信号処理手段から供給されるデジタルオーディオ信号を記録中には上記信号処理手段への電源供給を行うように上記スイッチ手段をオン制御する制御手段を備えてなる記録装置。
【請求項６】
上記信号処理手段は、上記入力されたアナログオーディオ信号をデジタルオーディオ信号に変換するＡ／Ｄ変換手段であることを特徴とする請求項５に記載の記録装置。
【請求項７】
上記信号処理手段は、上記入力されたアナログオーディオ信号を増幅するオーディオ用アンプであることを特徴とする請求項５に記載の記録装置。
【請求項８】
上記信号処理手段は、上記Ａ／Ｄ変換手段にて変換されたデジタルオーディオ信号に圧縮処理を施すエンコーダ部であることを特徴とする請求項５に記載の記録装置。
【発明の詳細な説明】
【０００１】
【産業上の利用分野】
この発明は、光ディスクや光磁気ディスクにディジタル音声信号等を記録する記録再生装置、記録装置に関する。
【０００２】
【従来の技術】
オーディオ信号をディジタル化し、例えば直径６４ｍｍの光ディスクや光磁気ディスク（以下、ミニディスクと称する）に記録／再生するようしたディスク記録／再生装置が知られている。このようなミニディスクでは、記録時には、音声信号がディジタル化され、圧縮され、一旦メモリに蓄えられる。そして、このデータがディスクに間欠的に記録される。再生時には、再生データが一旦メモリに蓄えられた後、デコードされ、アナログ信号に変換されて出力される。
【０００３】
ミニディスクでは、管理情報の記録エリアとして、Ｐ−ＴＯＣとＵ−ＴＯＣとが用意されている。このうち、Ｕ−ＴＯＣは、記録したプログラムに応じて更新されるもので、Ｕ−ＴＯＣには、プログラムのスタートアドレスやエンドアドレス等が記録される。記録時には、このＵ−ＴＯＣの情報からフリーエリアのアドレスが検出され、このフリーエリアに次のプログラムのディジタル音声信号が記録される。動作終了時やイジェクト時には、そのプログラムのスタートアドレス及びエンドアドレスがＵ−ＴＯＣに記録される。
【０００４】
【発明が解決しようとする課題】
このようなミニディスクの記録／再生装置において、携帯に便利なように、バッテリーが内蔵され、小型、軽量化が図られたものが開発されている。このような携帯型のミニディスクの記録／再生装置では、如何に消費電力を少なくするかが大きな課題である。消費電力が少なくなれば、バッテリーの寿命が伸び、長時間の記録／再生が行なえる。また、言い換えると、消費電力が少なくなれば、同じバッテリーの持続時間を維持するために要求されるバッテリー容量が少なくてすみ、小型のバッテリーが利用可能となる。このため、機器の小型、軽量化が図れる。
【０００５】
上述のように、ミニディスク記録／再生装置では、動作終了時やイジェクト時に、ピックアップをＵ−ＴＯＣエリアに移動し、このＵ−ＴＯＣエリアにスタートアドレスやエンドアドレスを書き込んでいる。このように、Ｕ−ＴＯＣに管理情報を書き込む際には、ピックアップをＵ−ＴＯＣエリアに移動し、フォーカスを合わせ、レーザビームのパワーを上げて、書込みを行う必要がある。このため、消費電力が大きくなる。このＵ−ＴＯＣに管理情報を書き込む際の消費電力が低減できれば、全体的な消費電力の低減が図れると考えられる。
【０００６】
したがって、この発明の目的は、消費電力の低減が図れ、小型、軽量化を図ることができる記録再生装置、記録装置を提供することにある。
【０００７】
【課題を解決するための手段】
この発明は、圧縮されたデジタルオーデイオ信号を記録するプログラム記録領域と、圧縮されたデジタルオーデイオ信号を管理するための管理情報を記録する管理情報記録領域とを有する記録媒体の記録再生装置において、記録媒体の管理情報記録領域から管理情報を再生するとともに記録媒体のプログラム記録領域より圧縮されたデジタルオーデイオ信号を再生する再生手段と、入力されたデジタルオーデイオ信号に対して圧縮処理を施す圧縮信号処理手段と、圧縮信号処理手段から出力される圧縮されたデジタルオーデイオ信号をプログラム記録領域に記録するとともに管理情報を管理情報記録領域に記録する記録手段と、少なくとも圧縮信号処理手段への電源供給を遮断するスイッチ手段と、圧縮信号処理手段から出力される圧縮されたデジタルオーデイオ信号をプログラム記録領域に記録する場合にはスイッチ手段とオンし、記録／消去に応じて編集された管理情報を管理情報記録領域に記録する場合には、スイッチ手段をオフする制御手段を備えたことを特徴とする記録再生装置である。
この発明は、デジタルオーディオ信号が記録されるプログラム記録領域と上記プログラム記録領域に記録されているデジタルオーディオ信号を管理する管理情報が記録される管理領域とを備えてなる記録媒体に記録を行う記録装置は、上記管理領域に管理情報を記録するとともに上記プログラム記録領域にデジタルオーディオ信号を各々記録する記録手段と、入力されたアナログオーディオ信号を処理する信号処理手段と、上記信号処理手段への電源供給を遮断するスイッチ手段と、上記記録手段にて上記管理領域に管理情報を記録中には上記信号処理手段への電源供給を遮断するように上記スイッチ手段をオフ制御するとともに、上記記録手段にて上記信号処理手段から供給されるデジタルオーディオ信号を記録中には上記信号処理手段への電源供給を行うように上記スイッチ手段をオン制御する制御手段を備えてなる記録装置である。
【０００８】
【作用】
記録終了時や停止時に管理情報を記録する際に、プログラム処理に係わる回路部の電源が遮断される。これにより、管理情報を書き込む際の消費電力が低減でき、全体的な消費電力の低減が図れる。
【０００９】
【実施例】
以下、この発明の一実施例について図面を参照して説明する。この発明は、例えば、カートリッジに収納された直径６４ｍｍのディスク（ミニディスク）にディジタル音声信号を記録／再生するミニディスクプレーヤに適用される。
【００１０】
図１は、この発明が適用されたディスク記録／再生装置の一実施例を示すものである。図１において、１はディスクである。ディスク１には、再生専用のディスクと、記録／再生用のディスクがある。図２Ａは、再生専用のディスク１Ａを示し、図２Ｂは、記録／再生用のディスク１Ｂを示している。図２Ａ及び図２Ｂに示すように、ディスク１Ａ及び１Ｂの最内周は、リードインエリア５１Ａ及び５１Ｂが設けられる。このリードインエリア５１Ａ及び５１Ｂは、再生専用のディスク１Ａの場合も、記録／再生用のディスク１Ｂの場合も、ＲＯＭエリアとされ、即ち物理的なピットの形態でデータが記録されている。このリードインエリア５１Ａ及び５１Ｂには、Ｐ−ＴＯＣ（プリマスタードＴＯＣ）が設けられている。
【００１１】
再生専用のディスク１Ａの場合には、図２Ａに示すように、リードインエリア５１Ａから、外周に向かって、プログラムエリア５２Ａ、リードアウトエリア５３Ａが設けられる。再生専用のディスク５１Ａの場合には、全て、ＲＯＭエリアとされている。
【００１２】
記録／再生用のディスク１Ｂの場合には、リードインエリア５１Ｂから、外周に向かって、Ｕ−ＴＯＣ（ユーザーＴＯＣ）エリア５４、プログラムエリア５２Ｂ、リードアウトエリア５３Ｂが設けられる。Ｕ−ＴＯＣエリア５４、プログラムエリア５２Ｂは、レコーダブルエリアとされ、即ち、光磁気により記録／再生可能とされている。Ｐ−ＴＯＣ及びＵ−ＴＯＣは、ディスクの管理情報を記録するものである。
【００１３】
図３はＰ−ＴＯＣ情報の１つのセクター（セクター０）を示している。Ｐ−ＴＯＣセクター０には、先頭位置にオール０又はオール１の１バイトデータよってなる同期パターン、及びクラスタアドレス及びセクターアドレスを示すアドレス等が付加され、これがヘッダーとされる。また、ヘッダーに続いて所定アドレス位置に「ＭＩＮＩ」という文字に対応してアスキーコードにより識別ＩＤが付加され、Ｐ−ＴＯＣの領域であることが示される。更に、続いてディスクタイプや録音レベル、記録されている最初の楽曲の曲番（Ｆｉｒｓｔ  ＴＮＯ）、最後の楽曲の曲番（Ｌａｓｔ  ＴＮＯ）、リードスタートアドレスＬＯＡ  、パワーキャルエリアスタートアドレスＰＣＡ  、Ｕ−ＴＯＣのスタートアドレスＵＳＴＡ  、録音可能なエリア（レコーダブルユーザーエリア）のスタートアドレスＲＳＴＡ  等が記録される。続いて、ピット形態で記録されている各楽曲等を後述する管理テーブル部におけるパーツテーブルに対応させるテーブルポインタ（Ｐ−ＴＮＯ１〜Ｐ−ＴＮＯ２５５）を有する対応テーブル指示データ部が用意されている。
【００１４】
そして、対応テーブル指示データ部に続く領域には、対応テーブル指示データ部におけるテーブルポインタ（Ｐ−ＴＮＯ１〜Ｐ−ＴＮＯ２５５）に対応して、（０１ｈ）〜（ＦＦｈ）までの２５５個のパーツテーブルが用意される。なお、「ｈ」を付した数値は、所謂１６進表記のものである。それぞれのパーツテーブルには、あるパーツについて起点となるスタートアドレス、終点となるエンドアドレス、及びそのパーツのモード情報（トラックモード）が記録できるようになされている。
【００１５】
管理テーブル部における（０１ｈ）〜（ＦＦｈ）までの各パーツテーブルは、対応テーブル指示データ部のテーブルポインタ（Ｐ−ＴＮＯ１〜Ｐ−ＴＮＯ２５５）によって、そのパーツの内容が示される。つまり、第１曲目の楽曲についてはテーブルポインタＰ−ＴＮＯ０１としてあるパーツテーブル（例えば（０１ｈ））が記録されており、この場合パーツテーブル（０１ｈ）のスタートアドレスは第１曲目の楽曲の記録位置のスタートアドレスとなり、同様にエンドアドレスは第１曲目の楽曲が記録された位置のエンドアドレスとある。更に、トラックモード情報はその第１曲目についての情報となる。同様に、第２曲目についてはテーブルポインタＰ−ＴＮＯ０２に示されるパーツテーブル（例えば（０２ｈ））に、その第２曲目の記録位置のスタートアドレス、エンドアドレス、及びトラック情報が記録されている。
【００１６】
なお、記録／再生可能なミニディスクの場合、いわゆるプリマスタードの楽曲エリアが存在しないため、対応テーブル指示データ部及び管理テーブル部は用いられず（これらは続いて説明するＵ−ＴＯＣで管理される）、従って各バイトは全て「００ｈ」とされている。
【００１７】
次に、Ｕ−ＴＯＣについて説明する。図４に示すＵ−ＴＯＣセクター０には、Ｐ−ＴＯＣと同様に、まずヘッダーが設けられ、続いて所定アドレス位置にメーカーコード、モデルコード、最初の楽曲の曲番（Ｆｉｒｓｔ  ＴＮＯ）、最後の楽曲の曲番（Ｌａｓｔ  ＴＮＯ）、セクター使用状況（Ｕｓｅｄ  ｓｅｃｔｏｒｓ）、ディスクシリアルナンバ、ディスクＩＤ等のデータが記録される。更に、ユーザが録音を行って記録されている楽曲の領域やフリーエリア等を管理テーブル部に対応させることによって識別するため、対応テーブル指示データ部として各種のテーブルポインタ（Ｐ−ＤＦＡ、Ｐ−ＥＭＰＴＹ、Ｐ−ＦＲＡ、ＰＴＯＮ０１〜ＰＴＮＯ２５５）が記録される領域が用意されている。
【００１８】
そして、テーブルポインタ（Ｐ−ＤＦＡ〜Ｐ−ＴＮＯ２５５）に対応させることになる管理テーブル部として、（０１ｈ）〜（ｆｆｈ）までの２５５個のパーツテーブルが設けられ、それぞれのパーツテーブルには、あるパーツについての起点となるスタートアドレス、終端となるエンドアドレス、そのパーツのモード情報（トラックモード）が記録されている。更に、このＵ−ＴＯＣセクター０の場合、各パーツテーブルを示されるパーツが他のパーツに続いて連結される場合があるため、その連結されるパーツのスタートアドレス及びエンドアドレスが記録されているパーツテーブルを示すリンク情報が記録できるようにされている。
【００１９】
なお、１つの楽曲のデータを物理的に不連続に、即ち複数のパーツに渡って記録し、パーツ間でアクセスしながら再生していくことにより再生動作に支障はないため、複数パーツにわけて記録する場合がある。そのため、リンク情報が設けられ、例えば各パーツテーブルに与えられたナンバー（０１ｈ）〜（ＦＦｈ）によって、連結すべきパーツテーブルを指定することによって、パーツテーブルが連結できるようになされている。
【００２０】
図１において、ディスク１は、スピンドルモータ２により回転駆動される。ディスク１に対して、光学ヘッド３が設けられる。光学ヘッド３には、レーザービームを照射するレーザダイオード、偏光ビームスプリッタや対物レンズ３Ａ等からなる光学系、ディスク１からの反射光を検出するためのディテクタ等が設けられている。対物レンズ３Ａは、２軸デバイス４によって、ディスク半径方向及びディスクに接離する方向に移動可能とされている。光学ヘッド３のレーザーダイオードからのレーザービームは、記録時には記録トラックをキュリー温度まで加熱するために高レベルとなり、また再生時には、ピットのデータ又は磁気カー効果による反射光からデータを検出するために比較的低レベルとなる。
【００２１】
６Ａは磁気ヘッドである。磁気ヘッド６Ａは、光学ヘッド３に対向して配置される。磁気ヘッド６Ａは、記録時にデータによって変調された磁界をディスク１に印加するものである。光学ヘッド３全体と磁気ヘッド６Ａは、スレッド機構５により、ディスクの半径方向に一体的に移動可能とされている。
【００２２】
７はＲＦアンプであり、ＲＦアンプ７は、光学ヘッド３のディテクタの出力から、演算処理により、再生ＲＦ信号、トラッキングエラー信号、フォーカスエラー信号等を抽出する。ＲＦアンプ７の出力はディジタルサーボ回路９に供給される。
【００２３】
ディジタルサーボ回路９には、トラッキングエラー信号、フォーカスエラー信号が与えられる。また、ディジタルサーボ回路９には、システムコントローラ１１からのトラックジャンプ指令、アクセス指令、スピンドルモータ２の回転速度検出情報等が与えられる。これに応じて、ディジタルサーボ回路９から、各種サーボ駆動信号が例えばＰＷＭ信号の形態で発生される。ディジタルサーボ回路９の出力は、サーボドライバ８に供給される。サーボドライバ８の出力により、２軸デバイス４及びスレッド機構５が駆動され、フォーカス及びトラッキング制御が行われる。
【００２４】
また、サーボドライバ８は、スピンドルエラー信号としてのＰＷＭ信号に応じた電力をモータドライバ１３に印加する。モータドライバ１３は、所謂３相スイッチング駆動モータである。通常の記録／再生時には、スピンドルモータ２の回転速度情報は、再生データから得られる。つまり、ディジタルサーボ回路９において、再生ＲＦ信号（ＥＦＭ信号）のエッジ検出から再生クロックが抽出され、これと基準クロックと比較してスピンドルエラー信号が生成される。このようなスピンドルエラー信号に基づいて、スピンドルモータ２が一定速度（ＣＬＶ）に制御される。
【００２５】
１０は信号処理部である。信号処理部１０は、エンコーダ／デコーダ部１０Ａ、メモリコントロール部１０Ｂ、エンコーダ／デコーダ部１０Ｃとから構成される。信号処理部１０は、記録時には、エンコーダ／デコーダ部１０Ｃでディジタル音声信号を圧縮し、これを一旦バッファＲＡＭ１２に蓄える。そして、エンコーダ／デコーダ部１０Ａでエラー訂正符号化処理及びＥＭＦ変調して出力する。また再生時には、エンコーダ／デコーダ部１０Ａでエラー訂正処理及びＥＭＦ復調し、このデータを一旦バッファＲＡＭ１２に蓄える。そして、エンコーダ／デコーダ部１０Ｃで伸長処理して、出力する。
【００２６】
１４は変換部であり、Ｄ／Ａ変換器１４Ａ、Ａ／Ｄ変換器１４Ｂが設けられている。エンコーダ／デコーダ部１０Ｃの音声圧縮デコード処理により出力されたディジタル音声データは、Ｄ／Ａ変換器１４Ａによってアナログ信号とされ、ライン出力端子１５から出力され、例えば、ＬＲオーディオ信号として出力される。若しくは、電子ボリューム１６、ヘッドホンアンプ１７を介してヘッドホン出力端子１８に供給される。
【００２７】
再生時において、アドレス情報やサブコードデータ等は、エンコーダ／デコーダ部１０Ａで抽出され、システムコントローラ１１に供給される。これらの情報は、各種の制御動作に用いられる。
【００２８】
また、接続されるヘッドホンにリモートコマンダーが設けられている場合、そのリモートコマンダーからの信号は、ヘッドホン出力端子１８と同一位置に例えば４端子コネクタの形態のリモコン入出力端子１９から、システムコントローラ１１に供給される。リモートコマンダーに表示部が存在する場合は、システムコントローラ１１は、表示制御信号をリモコン入出力端子１９から出力することになる。
【００２９】
２５は表示部を示し、表示部２５は、例えば液晶ディスプレイなどによって構成される。表示部２５には、システムコントローラ１１の制御に基づいて、動作状態、トラックナンバ、時間情報、文字情報などの表示がなされる。
【００３０】
２６はユーザ操作に供されるキーが設けられた操作部であり、再生キー、録音キー、停止キー、ＡＭＳキー、サーチキー等がユーザ操作に供されるように設けられている。
【００３１】
２７はステッパドライバ、２８はステッパモータであり、磁気ヘッド６Ａの上げ下ろし動作などについての駆動部位である。この動作は、システムテコントローラ１１により制御される。
【００３２】
２９はＥＥＰＲＯＭであり、例えばディジタルサーボ方式における各種サーボ係数等が保持されている。システムコントローラ１１は、ＥＥＰＲＯＭ２９から所要の係数を取り出し、ディジタルサーボ回路９に供給することになる。なお、システムコントローラ１１内に示すＲＡＭ１１Ａは、システムコントローラ１１におけるワークエリアである。
【００３３】
３０は時計部を示し、動作電源等とは異なる小型のバッテリーにより、常時、年月日時分秒を計数しており、システムコントローラ１１が常に現在日時を判別できるようにされている。
【００３４】
３１は各部に動作電源を供給する電源回路であり、電源として収納されたバッテリー３３を用いる他、ＤＣ−ＩＮ端子３２にＡＣアダプターを接続して商用電源を用いることができる。電源回路３１からの電源電圧は、マイコン用電源回路３５を介してシステムコントローラ１１に供給される。
【００３５】
記録時には、音声信号が光／ライン入力端子２０又はマイク入力端子２１から供給される。光／ライン入力端子２０からのアナログ形態の音声信号、又はマイク入力端子２１から入力されマイクアンプ２２で増幅された音声信号は、ＡＧＣ回路２３及び電子ボリューム２４を介してＡ／Ｄ変換器１４Ｂに供給される。Ａ／Ｄ変換器１４Ｂで、アナログ音声信号は、１６ビット量子化、４４．１ｋＨｚサンプリングの形態でディジタル音声データとされる。そして、エンコーダ／デコーダ部１０Ｃに供給され、音声圧縮エンコード処理を施される。なお、光／ライン入力端子２０からのディジタル形態の音声信号は、直接エンコーダ／デコーダ部１０Ｃに供給される。
【００３６】
エンコーダ／デコーダ部１０Ｃにより圧縮された記録データは、メモリコントロール部１０Ｂによって、一旦バッファＲＡＭ１２に書き込まれ、また、所定タイミングで読み出され、エンコーダ／デコーダ部１０ＡでＣＩＲＣエンコード、ＥＦＭ変調等のエンコード処理された後、ディジタルサーボ回路９を介して、磁気ヘッド駆動回路６に供給される。
【００３７】
磁気ヘッド駆動回路６は、エンコード処理された記録データに応じて、磁気ヘッド６Ａに、磁気ヘッド駆動信号を供給する。つまり、ディスク１に対して磁気ヘッド６ＡによるＮ又はＳの磁界を印加する。また、このときシステムコントローラ１１は、光学ヘッドに対して、記録レベルのレーザービームを出力するように、レーザーパワーを制御する。また、記録時にディジタルサーボ回路９は、磁気ヘッド６Ａに対する位置サーボを行い、磁気ヘッド６Ａとディスク１の相対距離を略一定に保つようにする。また、記録時においてはスピンドルサーボは、ディスク１上のグルーブ（溝）から得られるクロックを基準クロックと比較してサーボエラー信号生成し、ＣＬＶ制御を行うことになる。
【００３８】
再生時には、光学ヘッド３により、ディスク１から情報が間欠的に読み出される。この再生情報は、ＲＦアンプ７に供給される。ＲＦアンプ７からの再生ＲＦ信号は、エンコーダ／デコーダ部１０Ａに供給され、ＥＦＭ復調、ＣＩＲＣ処理、ＣＤ−ＲＯＭデコード等の処理が行われる。そして、メモリコントロール部１０Ｂによって一旦バッファＲＡＭ１２に書き込まれる。バッファＲＡＭ１２に書き込まれたデータは、エンコーダ／デコーダ部１０Ｃに供給される。そして、音声圧縮処理に対するデコード処理等の再生信号処理を施され、１６ビット量子化、４４．１ＫＨｚサンプリングの形態のディジタル音声データとされる。この音声データは、Ｄ／Ａ変換器１４Ａでアナログ信号に戻され、ライン出力端子１５から出力され、例えば、ＬＲオーディオ信号として出力される。若しくは、電子ボリューム１６、ヘッドホンアンプ１７を介してヘッドホン出力端子１８に供給される。
【００３９】
ディスク１に対して記録／再生動作を行う際には、ディスク１に記録されている管理情報、即ち、前述したＰ−ＴＯＣやＵ−ＴＯＣを読み出す必要がある。つまり、ディスク装着時には、光学ヘッド３が最内周のリードインエリア５１Ａ及び５１Ｂに移動され、Ｐ−ＴＯＣから管理情報が読み出される。更に、装着されたディスクが記録／再生用のディスク１Ｂの場合には、Ｕ−ＴＯＣエリア５４から管理情報が読み出される。システムコントローラ１１は、これらの管理情報に応じて、ディスク１上の記録すべきエリアのアドレスや、再生すべきエリアのアドレスを判別する。この管理情報は、システムコントローラ１１内のＲＡＭに保持される。
【００４０】
記録／再生用のディスク１Ｂで記録を行う場合、記録／消去の度に、Ｕ−ＴＯＣの情報がデータの記録や消去に応じて編集され、光学ヘッド３がＵ−ＴＯＣエリア５４に移動され、Ｕ−ＴＯＣの情報が書き換えられる。すなわち、録音終了や停止、又はディスク１のイジェクト操作がなされた場合や、電源オフの操作がなされた場合、更に、バッテリー駆動時に、バッテリー３３の容量が不足すると、Ｕ−ＴＯＣを書き換えてから、動作が停止される。
【００４１】
このように、Ｕ−ＴＯＣを書き換える場合には、前述したように、光学ヘッド３をＵ−ＴＯＣエリア５４に移動し、フォーカスを合わせてから、レーザーパワーを上げる必要があり、消費電力が大きくなる。この発明が適用された記録／再生装置では、このようにＵ−ＴＯＣのデータを書き換える際に、変換部１４や、信号処理部１０、ＲＡＭ１２、アンプ１７、２２、２３、電子ボリューム１６、２４等、オーディオ信号を処理する部分の電源の供給が停止され、消費電力の低減が図られている。
【００４２】
つまり、電源回路３１からの電源は、記録／再生回路を構成する各部に供給されるが、そのうち、信号処理部１０、バッファＲＡＭ１２、変換部１４等のディジタル音声信号を処理する部分、及び、マイクアンプ２２、ＡＧＣ回路２３、電子ボリューム２４、電子ボリューム１６、ヘッドホンアンプ１７等のアナログ音声信号を処理する部分には、スイッチ回路４１を介して、電源が供給されている。このスイッチ回路４１は、システムコントローラ１１により、Ｕ−ＴＯＣを書き換えるときに遮断される。Ｕ−ＴＯＣのを書き換える際には、ディジタル音声信号の処理及びアナログ音声信号の処理に係わる部分は動作していないので、電源を遮断しておくことができる。このようにすると、消費電力の低減が図れる。
【００４３】
図５は、このときの制御を示すフローチャートである。Ｕ−ＴＯＣ書き換え動作が必要になったかどうか、即ち、録音終了や停止、又はディスク１のイジェクトや、電源オフかどうかが判断され（ステップＳ１）、Ｕ−ＴＯＣの書き換え動作が必要であると判断されると、スイッチ回路４１が遮断される（ステップＳ２）。そして、光学ヘッド３がＵ−ＴＯＣエリア５４に移動され、Ｕ−ＴＯＣエリアにアクセスされる（ステップＳ３）。そして、システムコントローラ１１内のＲＡＭから、管理情報が読み出され（ステップＳ４）、この管理情報がＵ−ＴＯＣエリア５４に書き込まれる（ステップＳ５）。
【００４４】
【発明の効果】
この発明によれば、記録終了時や停止時、電源オフ時等、Ｕ−ＴＯＣに管理情報を記録する際に、エンコーダ／デコーダ部、バッファＲＡＭ、変換部等のディジタル音声信号を処理する部分、及び、マイクアンプ、ＡＧＣ回路、電子ボリューム、ヘッドホンアンプ等のアナログ音声信号を処理する部分の電源の供給が停止される。このため、消費電力の低減が図れ、バッテリー寿命を延ばすことができ、装置の小型、軽量化が図れる。
【図面の簡単な説明】
【図１】この発明が適用された光ディスク記録／再生装置の一例のブロック図である。
【図２】この発明が適用された光ディスクの説明に用いる断面図である。
【図３】この発明が適用された光ディスクの説明に用いる略線図である。
【図４】この発明が適用された光ディスクの説明に用いる略線図である。
【図５】この発明が適用された光ディスクの説明に用いるフローチャート略線図である。
【符号の説明】
１  ディスク
３  光学ヘッド
１０  エンコーダ／デコーダ
１１  システムコントローラ
４１  スイッチ回路
【図１】
0003604191.tif 000002
【図２】
0003604191.tif 000003
【図３】
0003604191.tif 000004
【図４】
0003604191.tif 000005
【図５】
0003604191.tif 000006